(57)【要約】【課題】配管接続の良否判定及び誤接続時の制御自動切替を実行することができる空調システムを提供する。【解決手段】２台の室外ユニット１１と、室内ユニット１２と、制御部３１と、温度センサ１７と、を備え、制御部３１は、空調運転を開始する場合、何れか１台の室外ユニット１１の運転を開始させ、２台の室外ユニット１１のうち、運転中の室外ユニット１１の冷媒配管１８の温度を第１冷媒配管温度に設定し、２台の室外ユニット１１のうち、停止中の室外ユニット１１の冷媒配管１８の温度を第２冷媒配管温度に設定し、第１冷媒配管温度と、第２冷媒配管温度と、を比較することで、冷媒配管１８の接続が正常であるか否かを判定する良否判定処理を実行し、良否判定処理の結果、冷媒配管１８の接続が正常ではないと判定した場合、２台の室外ユニット１１の制御をそれぞれ切り替えるものである。【選択図】図１
2014231945.tif 000002
【特許請求の範囲】
【請求項１】
２台の室外ユニットと、
前記２台の室外ユニットのそれぞれと冷媒配管で接続され、前記冷媒配管を流れる冷媒と、室内空気と、を熱交換する室内ユニットと、
前記２台の室外ユニットの運転及び前記室内ユニットの運転のそれぞれを含む空調運転を制御する制御装置と、
前記冷媒配管の温度をそれぞれ検出する温度検出器と、
を備え、
前記制御装置は、
前記空調運転を開始する場合、前記２台の室外ユニットのうち、何れか１台の室外ユニットの運転を開始させ、
前記２台の室外ユニットのうち、運転中の室外ユニットの前記冷媒配管の温度を第１冷媒配管温度に設定し、
前記２台の室外ユニットのうち、停止中の室外ユニットの前記冷媒配管の温度を第２冷媒配管温度に設定し、
前記第１冷媒配管温度と、前記第２冷媒配管温度と、を比較することで、前記冷媒配管の接続が正常であるか否かを判定する良否判定処理を実行し、
前記良否判定処理の結果、前記冷媒配管の接続が正常ではないと判定した場合、前記２台の室外ユニットの制御をそれぞれ切り替える
ことを特徴とする空調システム。
【請求項２】
前記制御装置は、
前記空調運転を初回の運転で開始する場合、前記良否判定処理を実行する
ことを特徴とする請求項１に記載の空調システム。
【請求項３】
前記制御装置は、
前記良否判定処理の良否判定結果である良否判定情報を保持する記憶部を備え、
前記良否判定情報が存在しない状態で前記空調運転を開始させた場合、前記空調運転を初回の運転であると判断する
ことを特徴とする請求項２に記載の空調システム。
【請求項４】
前記制御装置は、
前記記憶部に記憶されている前記良否判定情報が良である場合、前記良否判定処理を実行しない
ことを特徴とする請求項３に記載の空調システム。
【請求項５】
前記制御装置は、
前記２台の室外ユニットのうち、運転中の室外ユニットが冷房運転であって、
前記第２冷媒配管温度が前記第１冷媒配管温度と比べて大きい場合、前記冷媒配管の接続が正常であると判定し、
前記第２冷媒配管温度が前記第１冷媒配管温度と比べて大きくない場合、前記冷媒配管の接続が正常でないと判定し、
前記２台の室外ユニットのうち、運転中の室外ユニットが暖房運転であって、
前記第１冷媒配管温度が前記第２冷媒配管温度と比べて大きい場合、前記冷媒配管の接続が正常であると判定し、
前記第１冷媒配管温度が前記第２冷媒配管温度と比べて大きくない場合、前記冷媒配管の接続が正常でないと判定する
ことを特徴とする請求項１〜４の何れか一項に記載の空調システム。
【発明の詳細な説明】
【技術分野】
【０００１】
本発明は、空調システムに関し、特に、２台の室外ユニットを使用した、空調システムに関する。
【背景技術】
【０００２】
従来の空調システムとして、例えば、「室外機に並列に複数の室内機をつなぎ、且つ、各室内機への分流回路には開閉弁をつないだ空気調和機において、誤配管チェックに際し、まず各室内機内に滞留する冷媒を回収し、ついで１回路づつ開閉弁を開いて１回路毎に冷媒を流し、この流した冷媒が到達すべき室内機内の冷媒温度を測定し、冷媒を流すべき室内機に正しく冷媒が流れているか否かをチェックすることにより、誤配管をチェックすることを特徴とする空気調和機の誤配管チェック方法。」というものがある。このようなものにおいては、「１回路当りの検知時間を従来より短くすることができ、且つ厳寒時等であっても誤配管チェックをほぼ確実に行うことができる。」とされている（特許文献１参照）。
【０００３】
また、従来の空調システムとして、例えば、「１台の室外ユニットに複数台の室内ユニットが接続される空気調和装置において、各室内ユニットの冷媒熱交換器の冷媒入口付近に設けられた温度センサと、室内外ユニット間の誤配管チェックにおいて、前記室内ユニットの冷媒回路に、前記冷媒入口付近でのみ冷媒蒸発が生じる程度の少量の冷媒を循環させる制御手段と、前記誤配管チェックにおいて、前記温度センサからの温度検出信号に基づいて誤配管の有無を判断する判断手段と、を備えることを特徴とする空気調和装置。」というものがある。このようなものにおいては、「温水回路と冷媒回路とを備えたマルチエアコンの誤配管チェックにおいて、各室内ユニットの冷媒熱交換器の冷媒入り口付近でのみ冷媒蒸発が生じるように冷媒循環量を必要最小限に絞り、そして、冷媒入り口付近の温度検出によってチェックするようにしているため、周囲温度の低い環境でも、温水熱交換器を凍結させることなく誤配管チェックを行うことができる。」とされている（特許文献２参照）。
【先行技術文献】
【特許文献】
【０００４】
【特許文献１】特開平７−４７９８号公報（請求項１及び段落［００２５］）
【特許文献２】特開平７−１３９８３８号公報（請求項１及び段落［００２４］）
【発明の概要】
【発明が解決しようとする課題】
【０００５】
しかしながら、従来の空調システム（特許文献１）においては、室内熱交換器の冷媒入り口付近に温度センサを設置し、冷媒が流れ込む前の室内熱交換器の入口温度と、冷媒が流れ込んだ後の入口温度とを比較することにより、誤配管か否かをチェックしていた。すなわち、同一の室内熱交換器の冷媒入り口付近の温度の変化に基づいて、冷媒配管の配管接続の良否判定が一回路ごとに行われていた。このため、冷媒配管の配管接続の確認完了までには時間がかかった。
【０００６】
また、従来の空調システム（特許文献２）においては、冷媒熱交換器の冷媒入り口付近に温度センサを設置し、冷媒不足状態でのチェック動作に移行したとき、移行直後の温度と、移行して６分後の温度とを比較することにより、誤配管か否かをチェックしていた。すなわち、同一の冷媒熱交換器の冷媒入り口付近の温度の変化に基づいて、冷媒配管の配管接続の良否判定が一回路ごとに行われていた。このため、冷媒配管の配管接続の確認完了までには時間がかかった。
【０００７】
その結果、同一冷媒回路内に対する温度の変化を一回路ずつ検出しているため、同一冷媒回路内で、検出対象の温度がある程度変化するまでは、冷媒配管の配管接続が良いか否かの良否判定をすることができず、また、そのような判定を一回路ずつやらなければならなかった。そのため、短時間で冷媒配管の配管接続の良否判定をすることができなかった。
【０００８】
また、いずれの従来の空調システム（特許文献１及び２）においても、操作者が指令を出さない限り、空調制御装置は、いわゆる配管チェックモードを実行するには至らなかった。すなわち、配管チェックモードをするか否かは操作者に委ねられていた。そのため、冷媒配管の配管接続の良否判定の確認を忘れてしまうことがあった。その結果、忘れることなく確実に冷媒配管の配管接続の良否判定をすることができなかった。
【０００９】
また、冷媒配管の配管接続の良否判定を行った後、冷媒配管の接続が正常ではないと判定した場合、空調システムの給電を停止し、ポンプダウンで冷媒を回収し、配管接続を入れ替え後で、冷媒を再度充填する等の作業が必要であった。よって、冷媒配管の設置完了にさらに時間がかかる虞があった。換言すれば、冷媒配管の接続が正常ではないと判定した場合には、現地での冷媒配管の配管接続の入れ替え作業が必要であった。
【００１０】
本発明は、上記のような問題を解決するためになされたもので、忘れることなく確実に短時間で冷媒配管の配管接続の良否判定を行うと共に、冷媒配管の接続が正常ではないと判定した場合であっても、現地での冷媒配管の配管接続の入れ替え作業を不要とすることができる空調システムを提供することを目的とするものである。
【課題を解決するための手段】
【００１１】
本発明の空調システムは、２台の室外ユニットと、前記２台の室外ユニットのそれぞれと冷媒配管で接続され、前記冷媒配管を流れる冷媒と、室内空気と、を熱交換する室内ユニットと、前記２台の室外ユニットの運転及び前記室内ユニットの運転のそれぞれを含む空調運転を制御する制御装置と、前記冷媒配管の温度をそれぞれ検出する温度検出器と、を備え、前記制御装置は、前記空調運転を開始する場合、前記２台の室外ユニットのうち、何れか１台の室外ユニットの運転を開始させ、前記２台の室外ユニットのうち、運転中の室外ユニットの前記冷媒配管の温度を第１冷媒配管温度に設定し、前記２台の室外ユニットのうち、停止中の室外ユニットの前記冷媒配管の温度を第２冷媒配管温度に設定し、前記第１冷媒配管温度と、前記第２冷媒配管温度と、を比較することで、前記冷媒配管の接続が正常であるか否かを判定する良否判定処理を実行し、前記良否判定処理の結果、前記冷媒配管の接続が正常ではないと判定した場合、前記２台の室外ユニットの制御をそれぞれ切り替えるものである。
【発明の効果】
【００１２】
本発明は、空調運転を開始する際に何れか１台の室外ユニットを用いて冷媒配管の接続状態の良否判定を行うと共に、冷媒配管の接続が正常ではないと判定した場合には、冷媒配管と室外ユニットとの組み合わせが合うように、ソフトウェアで自動的に２台の室外ユニットの制御を切り替える。すなわち、本発明は、空調運転を開始する際に何れか１台の室外ユニットを用いて冷媒配管の接続状態の良否判定を行うと共に、冷媒配管の接続が正常ではないと判定した場合には、冷媒配管と室外ユニットとの組み合わせが合うように、１台目の室外ユニットを２台目の室外ユニットとして制御を切り替えると共に、２台目の室外ユニットを１台目の室外ユニットとして制御を切り替える。よって、本発明は、忘れることなく確実に短時間で冷媒配管の配管接続の良否判定を行うと共に、冷媒配管の接続が正常ではないと判定した場合であっても、現地での冷媒配管の配管接続の入れ替え作業を不要とすることができる。したがって、本発明は、冷媒配管の配管接続が誤っていたときに生じることがある室外ユニットの故障や制御不能を防ぐことができつつ、現地で作業しなくても、誤配管接続状態に対応した制御に切り替えることができるという効果を有する。
【図面の簡単な説明】
【００１３】
【図１】本発明の実施の形態１における空調システム１の概略構成の一例を示す図である。
【図２】本発明の実施の形態１における制御部３１の機能構成の一例を示す図である。
【図３】本発明の実施の形態１における配管チェック実施回数がインクリメントされた後の各種フラグ及びカウンタの一例を示す図である。
【図４】従来の実施の形態における冷媒配管１８の配管接続を確認する制御例のフローチャートである。
【図５】本発明の実施の形態１における空調システム１が冷媒配管１８の配管接続を確認する制御例を説明するフローチャートである。
【図６】本発明の実施の形態１における配管チェック実施回数がインクリメントされた後に第１室外ユニット１１ａと第２室外ユニット１１ｂとの制御を切り替えた場合の各種フラグ及びカウンタの一例を示す図である。
【発明を実施するための形態】
【００１４】
以下、本発明の実施の形態１について、図面を用いて詳細に説明する。なお、本発明の実施の形態１の動作を行うプログラムを記述するステップは、記載された順序に沿って時系列に行われる処理であるが、必ずしも時系列に処理されなくても、並列的又は個別に実行される処理をも含んでもよい。
【００１５】
また、本実施の形態１で説明される各機能をハードウェアで実現するか、ソフトウェアで実現するかは問わない。つまり、本実施の形態１で説明される各ブロック図は、ハードウェアのブロック図と考えても、ソフトウェアの機能ブロック図と考えてもよい。例えば、各ブロック図は、回路デバイス等のハードウェアで実現されてもよく、図示しないプロセッサ等の演算装置上で実行されるソフトウェアで実現されてもよい。
【００１６】
また、本実施の形態１で説明されるブロック図の各ブロックは、その機能が実施されればよく、それらの各ブロックで構成が分離されなくてもよい。
【００１７】
また、本実施の形態１のそれぞれで説明する各種値及びフラグ等の設定例は一例を示すだけであり、特にこれらに限定しない。
【００１８】
実施の形態１．
図１は、本発明の実施の形態１における空調システム１の概略構成の一例を示す図である。図１に示すように、空調システム１は、第１室外ユニット１１ａ、第２室外ユニット１１ｂ、室内ユニット１２、全熱交換型換気ユニット１３、立上ダクト１４ａ、主ダクト１４ｂ、副主ダクト１４ｃ、分岐ダクト１４ｄ、換気用ダクト１４ｅ、ＶＡＶユニット１５、リモートコントローラー１６、温度センサ１７ａ、温度センサ１７ｂ、冷媒配管１８ａ及び冷媒配管１８ｂ等を備えている。また、全熱交換型換気ユニット１３、ＶＡＶユニット１５、及びリモートコントローラー１６等は、図示しない各部屋ごとに設置されており、適宜、各部屋ごとに置かれたリモートコントローラー１６の指令に基づいて、リモートコントローラー１６と対応する各部屋の空気調和が行われる。
【００１９】
第１室外ユニット１１ａ及び第２室外ユニット１１ｂは、冷房のときに室内の熱を室外に放出し、暖房のときに室外の熱を室内へ取り入れる。なお、以後の説明において、第１室外ユニット１１ａ及び第２室外ユニット１１ｂを総称するときは、室外ユニット１１と称する。
【００２０】
室内ユニット１２は、第１室外ユニット１１ａと冷媒配管１８ａとで接続されている。室内ユニット１２は、第２室外ユニット１１ｂと冷媒配管１８ｂとで接続されている。冷媒配管１８ａ及び冷媒配管１８ｂには冷媒が流れており、冷媒と室内空気とが熱交換する。例えば、冷房運転のとき、冷媒は低温冷媒となり、低温冷媒と室内空気とが熱交換した結果、室内空気の熱を室外空気に放出する。暖房運転のとき、冷媒は高温冷媒となり、高温冷媒と室内空気とが熱交換した結果、室外空気の熱を室内空気に取り入れる。なお、以後の説明において、冷媒配管１８ａ及び冷媒配管１８ｂを総称するときは、冷媒配管１８と称する。
【００２１】
温度センサ１７ａは、冷媒配管１８ａに取り付けられている。温度センサ１７ｂは、冷媒配管１８ｂに取り付けられている。冷房運転のとき、冷媒は低温冷媒となるため、冷媒配管１８ａ、１８ｂの温度は低くなっていく。一方、暖房運転のとき、冷媒は高温冷媒となるため、冷媒配管１８ａ、１８ｂの温度は高くなっていく。なお、以後の説明において、温度センサ１７ａ及び温度センサ１７ｂを総称するときは、温度センサ１７と称する。
【００２２】
なお、温度センサ１７は特に限定されない。ただし、温度センサ１７は、室外ユニット１１の冷媒配管１８の温度を取得できる場所に設けられるものとする。
【００２３】
なお、「温度センサ１７」は、本発明における「温度検出器」に相当する。
【００２４】
また、室内ユニット１２は、後述する制御部３１を備えており、制御部３１は、リモートコントローラー１６の指令に基づいて、冷風を各部屋へ供給したり、温風を各部屋へ供給する指令を出す。また、制御部３１は、２台の室外ユニット１１の運転タイミングの制御指令も出す。また、制御部３１は、空調システム１の冷媒配管１８の接続の良否判定の処理と、配管接続が正しくなかった場合の室外ユニット１１の制御切替とを自動的に実施する。
【００２５】
全熱交換型換気ユニット１３は、各部屋の温度を逃さずに換気する。すなわち、全熱交換型換気ユニット１３は、冷暖房による冷気や暖気を逃さずに汚れた空気を排出する機構で形成される空調換気扇である。このような空調換気扇は、排気の熱を使って外気を暖めるなどして部屋の温度を極力下げずに換気を行う。そのような空調換気扇としては、例えば、ロスナイ（登録商標）がある。
【００２６】
立上ダクト１４ａ、主ダクト１４ｂ、副主ダクト１４ｃ、分岐ダクト１４ｄ、及び換気用ダクト１４ｅは、各部屋へ冷風や温風を送るものである。なお、以後の説明において、立上ダクト１４ａ、主ダクト１４ｂ、副主ダクト１４ｃ、分岐ダクト１４ｄ、及び換気用ダクト１４ｅを総称するときは、ダクト１４と称する。
【００２７】
ＶＡＶユニット１５は、各部屋の吹き出し口に設置され、風量の調節をするものである。具体的には、ＶＡＶは、Ｖａｒｉａｂｌｅ  Ａｉｒ  Ｖｏｌｕｍｅ（可変風量）の略のことであり、ＶＡＶユニット１５は、可変風量制御ユニットのことである。ＶＡＶユニット１５は、室温設定器や室圧計からの要求風量信号に基づいて風量を変更する。このとき、ＶＡＶユニット１５は、ＶＡＶユニット１５から放出する風速を内部のセンサーで検出し、検出結果と要求風量とに基づいて風量制御を行う。それにより、ＶＡＶユニット１５は、各部屋ごとに適正な室温や室圧の調整を行うものである。
【００２８】
リモートコントローラー１６は、各部屋ごとに設けられ、各部屋の室温の検知をしたり、室外ユニット１１や室内ユニット１２等に、運転や停止の指令を出したり、温度調整をする指令を出す。
【００２９】
なお、上記で説明した空調システム１の構成は一例を示し、これに限定されない。
【００３０】
例えば、各部屋に設置されたリモートコントローラー１６で各部屋の空気調和の指令を出すのではなく、図示しない中央制御室等で統合管理してもよい。また、別の建物から図示しない通信装置による遠隔操作に基づいて管理してもよい。
【００３１】
図１に示すように、空調システム１は、例えば、暖房時には、室外ユニット１１で室外から取り込んだ熱を室内ユニット１２内にある図示しない熱交換器に通らせ、その後、室内ユニット１２内の図示しない送風機により、ダクト１４を介して各部屋へと温風を送る。このとき、空調システム１は、リモートコントローラー１６で検出した室温と設定温度とに基づいて、室内ユニット１２内の図示しない送風機の風量やＶＡＶユニット１５の図示しないルーバの開閉角度を変更することで、各部屋に必要な風量を送る。また、空調システム１は、全熱交換型換気ユニット１３により部屋の温度を逃すことなく換気を行う。
【００３２】
次に、制御部３１の詳細について図２を用いて説明する。
【００３３】
図２は、本発明の実施の形態１における制御部３１の機能構成の一例を示す図である。図１に示す室内ユニット１２は、図２に示す制御部３１の機能を備えており、制御部３１により各種処理を実行する。
【００３４】
図２に示すように、制御部３１は、例えば、記憶部４３及び運転制御処理部４１等を備えている。このうち、運転制御処理部４１は、外部からの入力指令や各種データに基づいて所定の演算を実行した後、外部に出力指令を出す。なお、入力指令とは、例えば、リモートコントローラー１６からの指令であり、各種データとは、例えば、室外ユニット１１の配管温度のことである。また、出力指令とは、例えば、運転モードを切り替える処理の指令、通常動作を行う指令、配管接続確認処理を実行する指令、及び誤配管制御切替処理を実行する指令等の何れか１つ又はその複数の組み合わせからなる指令である。すなわち、制御部３１は、出力指令により、他の機器に対して制御指令を出す機能を有するものである。例えば、室外ユニット１１は、その制御指令に基づいて、室外ユニット１１のファン（図示せず）の回転速度等を制御する。
【００３５】
なお、「制御部３１」は、本発明における「制御装置」に相当する。
【００３６】
記憶部４３は、各種処理を実行するためのプログラムやデータ等を格納する。記憶部４３は、例えば、ＲＯＭやＲＡＭ等の不揮発性メモリや揮発性メモリにより実現される半導体メモリである。このとき、例えば、ＲＯＭは、各種処理を実行するためのプログラムを格納し、ＲＡＭは、各種処理を実行するためのデータ等を格納する。各種処理を実行するためのデータは、例えば、後述する配管チェック実施済みであるか否かを示すフラグのことである。
【００３７】
なお、記憶部４３は、処理が確定していないデータについては、例えば、キャッシュメモリへ一次的に格納し、処理が確定したデータについては、例えば、主記憶装置（いわゆる、メモリ）へ格納するようにしてもよい。すなわち、記憶部４３は、記憶階層の構造を有するようにしてもよい。この場合、例えば、キャッシュメモリは、小容量で高速なスタティックＲＡＭで形成される。また、例えば、主記憶装置は、ダイナミックＲＡＭで形成される。
【００３８】
なお、上記で説明した記憶部４３の構造は一例を示し、これに限定されない。また、記憶部４３は、制御部３１が配管接続確認処理を実行していない場合、ダミーデータを格納している。すなわち、このときには、制御部３１は、配管接続確認処理の実行結果を保有していないと判断する。ダミーデータは、例えば、９９９９９等の大きい桁の数値等である。
【００３９】
運転制御処理部４１は、例えば、運転モード切替処理部５１、通常動作処理部５５、配管接続確認処理部５３、及び誤接続制御切替処理部５７等を備えている。
【００４０】
運転モード切替処理部５１は、各種運転モードへの切替処理の指令を出す。なお、運転モードとは、例えば、冷房運転、暖房運転、及び除湿運転等の各通常動作モードや、配管接続確認等の特殊モードのことである。
【００４１】
通常動作処理部５５は、例えば、冷房運転、暖房運転、除湿運転、及び送風運転等の処理の指令を出す。通常動作処理部５５は、リモートコントローラー１６の指令に基づいて、これらの処理の中から該当する動作を実行する指令を出す。
【００４２】
配管接続確認処理部５３は、配管接続の良否判定を実行する。具体的には、配管接続確認処理部５３は、記憶部４３が格納している各種フラグの値を参照後、予め設定された条件を満たしたとき、受け取った検出データに基づいて配管接続の良否判定を行う。より具体的には、配管接続確認処理部５３は、検出データである第１室外ユニット１１ａの冷媒配管温度Ｔａと、検出データである第２室外ユニット１１ｂの冷媒配管温度Ｔｂとを比較することにより、冷媒配管１８の接続が正常であるか否かの良否判定を行う。次いで、配管接続確認処理部５３は、配管接続の良否判定が終了したら、記憶部４３に格納されている各種フラグの値を更新する。
【００４３】
誤接続制御切替処理部５７は、配管接続確認処理部５３で判定を行った誤配管接続フラグで誤接続と判断した場合、２台の室外ユニット１１のそれぞれの制御切替を行う。すなわち、誤接続制御切替処理部５７は、配管接続確認処理部５３で判定を行った誤配管接続フラグで誤接続と判断した場合、第１室外ユニット１１ａの制御を第２室外ユニット１１ｂの制御に切り替えると共に、第２室外ユニット１１ｂの制御を第１室外ユニット１１ａの制御に切り替える。
【００４４】
なお、「冷媒配管温度Ｔａ」は、本発明における「第１冷媒配管温度」に相当する。また、「冷媒配管温度Ｔｂ」は、本発明における「第２冷媒配管温度」に相当する。
【００４５】
なお、上記で説明した制御部３１の構成は一例を示し、これに限定されない。
【００４６】
次に、記憶部４３が保持する各種フラグについて説明する。図３は、本発明の実施の形態１における配管チェック実施回数がインクリメントされた後の各種フラグ及びカウンタの一例を示す図である。図３に示すように、記憶部４３は、配管接続確認処理用のフラグの値、通常の運転モード用のフラグの値、及び配管チェック実施回数をカウントするカウンタ等を保持している。また、記憶部４３は、配管接続確認処理用のフラグの値のデータセットとして、例えば、動作テーブル＃１及び動作テーブル＃３を保持している。また、記憶部４３は、通常の運転モード用のフラグの値のデータセットとして、例えば、動作テーブル＃２及び動作テーブル＃４を保持している。また、記憶部４３は、ユニット種別、動作テーブル、及び配管制御切替フラグのデータセットである通常動作紐付けテーブルを保持している。
【００４７】
通常動作紐付けテーブルは、ユニット種別として、第１室外ユニット１１ａと、第２室外ユニット１１ｂとを区分けしている。通常動作紐付けテーブルは、動作テーブルの種類として、例えば、動作テーブル＃１〜動作テーブル＃４の何れかを、ユニット毎に割り当てている。通常動作紐付けテーブルは、配管制御切替フラグを用いることで、割り当てた動作テーブル＃１〜動作テーブル＃４のうち、どの動作テーブルを用いるかを設定している。
【００４８】
例えば、第１室外ユニット１１ａには、配管制御切替フラグが１である動作テーブル＃１と、配管制御切替フラグが１である動作テーブル＃２とが割り当てられている。また、例えば、第２室外ユニット１１ｂには、配管制御切替フラグが１である動作テーブル＃３と、配管制御切替フラグが１である動作テーブル＃４とが割り当てられている。
【００４９】
動作テーブル＃１及び動作テーブル＃３には、配管接続確認処理用のフラグが設定されている。配管接続確認処理用のフラグは、例えば、配管チェック実施済フラグ、配管チェック完了フラグ、及び誤配管接続フラグのことである。
【００５０】
配管チェック実施済フラグは、配管チェックが実施されたか否かを示す。具体的には、配管チェック実施済フラグは、１か０の値で実施済みか否かを示す。例えば、配管チェック実施済フラグが１のとき、配管チェックを実施済みであるとし、配管チェック実施済フラグが０のとき、配管チェックを未実施であるとしてもよく、その逆の定義でもよい。配管接続確認処理部５３は、この値を記憶部４３に送信し、記憶部４３は送信された値を取得して保持する。記憶部４３は、例えば、このように取得した値をＲＡＭ（図示せず）に格納する。より具体的には、配管チェック実施済フラグは、配管接続確認処理部５３が、所定の処理に基づいて冷房時や暖房時に配管接続の良否判定を行ったか否かを示すフラグである。また、配管接続確認処理部５３は、配管チェック実施済フラグの値に基づいて、配管接続の良否判定を実行するか否かを判定してもよい。例えば、配管接続確認処理部５３は、配管チェック実施済フラグを参照したとき、既に配管チェックを実施済みであるというフラグが格納されていれば、配管チェックを再度実施しないとしてもよい。
【００５１】
なお、「配管チェック実施済フラグ」は、本発明における「良否判定情報」に相当する。
【００５２】
配管チェック完了フラグは、配管チェックが完了したか否かを示す。具体的には、配管チェック完了フラグは、配管チェックが完了し、配管接続が正常であると判定され、室外ユニット１１が通常動作を行っても故障しない状態であるか否かを１か０の値で示す。例えば、配管チェック完了フラグが１のとき、室外ユニット１１が通常動作を行っても故障しない状態とし、配管チェック完了フラグが０のとき、室外ユニット１１が通常動作を行ったら故障する状態としてもよく、その逆の定義でもよい。配管接続確認処理部５３は、この値を記憶部４３に送信し、記憶部４３は送信された値を取得して保持する。記憶部４３は、例えば、このように取得した値をＲＡＭ（図示せず）に格納する。また、通常動作処理部５５は、配管チェック完了フラグの値に基づいて、２台目の室外ユニット１１を運転するか否かを判定してもよい。
【００５３】
誤配管接続フラグは、配管接続確認の良否判定の結果、誤配管接続であるか否かを示す。具体的には、誤配管接続フラグは、配管が正しく接続されていない状態を１か０の値で示す。例えば、誤配管接続フラグが１のとき、配管が正しく接続されていない状態とし、誤配管接続フラグが０のとき、配管が正しく接続されている状態としてもよく、その逆の定義でもよい。配管接続確認処理部５３は、この値を記憶部４３に送信し、記憶部４３は送信された値を取得して保持する。記憶部４３は、例えば、このように取得した値をＲＡＭ（図示せず）に格納する。また、通常動作処理部５５は、誤配管接続フラグの値に基づいて、運転中の室外ユニット１１を停止するか運転を継続するかを判定してもよい。
【００５４】
一方、動作テーブル＃２及び動作テーブル＃４には、通常の運転モード用のフラグが設定されている。通常の運転モード用のフラグは、例えば、冷房フラグ、暖房フラグ、除湿フラグ、及び送風フラグである。
【００５５】
冷房フラグは、運転モードが冷房であるか否かを１か０で示し、暖房フラグは、運転モードが暖房であるか否かを１か０で示し、除湿フラグは、運転モードが除湿であるか否かを１か０で示し、送風フラグは、運転モードが送風であるか否かを１か０で示す。例えば、通常の運転モード用の各種フラグの内、冷房フラグが１のときに冷房運転モードであるとし、通常の運転モード用の各種フラグの内、冷房フラグが０のときに冷房運転モードでないとしてもよく、その逆の定義でもよい。他のフラグについても同様に１か０でその運転モードであるか否かを割り当てる。
【００５６】
このような運転モードは、入力指令に基づいて制御部３１が決定する。具体的には、リモートコントローラー１６は、リモートコントローラー１６が操作者あるいは外部から受理したコマンドに基づいて、該当する処理に相当するコードを、例えば、ＶＡＶユニット１５のＶＡＶコントローラ（図示せず）を介して制御部３１に送信する。
【００５７】
次いで、制御部３１は、リモートコントローラー１６が送信したコードを解釈して該当する運転モードを決定する。次いで、制御部３１は、決定した運転モードを記憶部４３に送信する。記憶部４３は送信された運転モードを取得して保持する。このような運転モードの決定は、具体的には、制御部３１の運転モード切替処理部５１が行う。
【００５８】
より具体的には、運転モード切替処理部５１は、その運転モードと、記憶部４３が保持する各種フラグとに基づいて、配管接続の良否判定を実行する場合には、配管接続確認処理部５３に実行指令を出す。配管接続確認処理部５３は、実行指令を受けて、配管接続の良否判定処理を実行する。
【００５９】
一方、運転モード切替処理部５１は、その運転モードと、記憶部４３が保持する各種フラグとに基づいて、通常動作を実行する場合には、通常動作処理部５５に実行指令を出す。通常動作処理部５５は、実行指令を受けて、通常動作処理を実行する。
【００６０】
また、動作テーブル＃１〜動作テーブル＃４のそれぞれには、動作権限フラグが設定されている。例えば、第１室外ユニット１１ａでは、動作テーブル＃１及び動作テーブル＃２のうち、動作テーブル＃１に動作権限フラグとして１が設定され、動作テーブル＃１に対応する特殊モードが第１室外ユニット１１ａで実行される設定がされている。また、例えば、第２室外ユニット１１ｂでは、動作テーブル＃３及び動作テーブル＃４のうち、何れの動作テーブルにも動作権限フラグが設定されていないため、まだ何れに基づいて動作が実行されるのかは不定である。また、動作テーブル＃２及び動作テーブル＃４のそれぞれには、該当する詳細な動作決定テーブル（図示せず）が紐付けされている。
【００６１】
例えば、動作テーブル＃２には、冷房フラグが１であるので、冷房動作に対応する動作決定テーブルが紐付けされている。そのような動作決定テーブルには、例えば、設定温度、風量、及び風速等が設定されており、さらに、そのような設定をするための各種テーブル等も紐付けされている。そのような各種テーブルには、例えば、インバータ制御される圧縮機（図示せず）の駆動周波数等が設定される。
【００６２】
なお、上記で説明した記憶部４３が保持する各種フラグは一例を示し、これに限定されない。また、上記で説明した記憶部４３が保持する各種フラグの実装形態も一例を示し、これに限定されない。例えば、１か０ではなく、他の定義により、どちらであるかが定義されてもよいことはいうまでもないことである。例えば、＋１ずつ歩進するカウンタをフラグに設け、偶数のときに１に相当するように定義し、奇数のときに０に相当するように定義してもよい。このように、実装形態は１つに限定されるものではなく、さまざまな実装形態が可能である。
【００６３】
次に、以上の構成を前提にして配管接続の良否判定の動作について説明する。
【００６４】
まず、従来の配管接続の良否判定について図４を用いて説明し、次に、電源投入時に自動的かつ短時間で実行する本実施の形態における配管接続の良否判定について図５を用いて説明する。
【００６５】
図４は、従来の実施の形態における冷媒配管１８の配管接続を確認する制御例のフローチャートである。
【００６６】
（ステップＳ１０１）
制御部３１は、空調システム１の電源ＯＮを認識する。例えば、制御部３１は、室外ユニット１１、室内ユニット１２、全熱交換型換気ユニット１３、及びＶＡＶユニット１５等の電源が空調システム１の管理者により投入されたことを認識する。
【００６７】
（ステップＳ１０２）
制御部３１は、空調システム１が運転停止中であるか否かを判定する。制御部３１は、空調システム１が運転停止中であると判定した場合、ステップＳ１０３へ進む。一方、制御部３１は、空調システム１が運転停止中でないと判定した場合、ステップＳ１１５へ進む。
【００６８】
（ステップＳ１０３）
制御部３１は、配管チェックモードへの移行操作を実行する。すなわち、制御部３１は、特殊モードの処理を実行する。具体的には、空調システム１の管理者がマニュアルで配管チェックモードに設定する。このとき、制御部３１は、配管チェックモードの入力トリガを受信したときに、待機モードから特殊モードである配管チェックモードへ処理を遷移する。
【００６９】
なお、空調システム１を設置するときや、空調システム１全体を入れ替えるとき、あるいは、室内ユニット１２や室外ユニット１１のみの交換が発生したときに、施工業者が配管チェックモードを制御部３１に起動させ、その都度、制御部３１は、配管接続の確認をする。
【００７０】
（ステップＳ１０４）
制御部３１は、配管チェックを開始する。
【００７１】
（ステップＳ１０５）
制御部３１は、冷房運転で１台目の室外ユニット１１の運転を開始する。例えば、第１室外ユニット１１ａの運転を冷房運転で開始する。このとき、制御部３１は、温度センサ１７ａが検出した配管チェック開始直後の第１室外ユニット１１ａ側の配管の温度（例えば、Ｔａ０とする）を取得する。冷房運転を開始して５分経過したら、制御部３１は、温度センサ１７ａが検出した第１室外ユニット１１ａ側の配管の温度（例えば、Ｔａとする）を取得する。
【００７２】
（ステップＳ１０６）
制御部３１は、Ｔａ０とＴａとの温度を比較する。このとき、制御部３１は、Ｔａ０とＴａとの差分が５（℃）以上であるか否かを判定する。制御部３１は、５（℃）以上と判定した場合、ステップＳ１０８へ進む。一方、制御部３１は、５（℃）以上ではないと判定した場合、ステップＳ１０７へ進む。
【００７３】
なお、ここでは、配管接続が正常であれば、冷房時には、運転中の室外ユニット１１側の配管温度が少しずつ下がっていくという前提に基づいて、制御部３１は比較処理を実行する。すなわち、配管接続が正常であれば、配管チェック開始から所定時間経過したときには、Ｔａ０とＴａとの差分は、例えば、５（℃）以上の差があるという前提である。
【００７４】
また、５（℃）という温度差はこれに限定されるものではなく、例えば、５（℃）ほど差があれば、一般的には経験的に誤検知を防ぐことができるということである。そのため、周囲の環境によっては、５（℃）以上待つ必要はないことはいうまでもないことである。また、周囲の環境によっては、５（℃）以上待つ必要があるときもある。
【００７５】
（ステップＳ１０７）
制御部３１は、運転開始後、５分経過したか否かを判定する。制御部３１は、５分経過したと判定した場合、ステップＳ１１３へ進む。一方、制御部３１は、５分経過していないと判定した場合、ステップＳ１０６へ戻る。
【００７６】
なお、５分という時間はこれに限定されるものではなく、例えば、５分ほど経過していれば、一般的には経験的に誤検知を防ぐことができるということである。そのため、周囲の環境によっては、５分待つ必要はないことはいうまでもないことである。また、周囲の環境によっては、５分以上待つ必要があるときもある。
【００７７】
（ステップＳ１０８）
制御部３１は、１台目の室外ユニット１１である第１室外ユニット１１ａの運転を停止する。
【００７８】
（ステップＳ１０９）
制御部３１は、冷房運転で２台目の室外ユニット１１の運転を開始する。例えば、第２室外ユニット１１ｂの運転を冷房運転で開始する。このとき、制御部３１は、配管チェック開始直後の第２室外ユニット１１ｂ側の配管の温度（例えば、Ｔｂ０とする）を検出しておく。冷房運転を開始して５分経過したら、制御部３１は、第２室外ユニット１１ｂ側の配管の温度（例えば、Ｔｂとする）を検出する。
【００７９】
（ステップＳ１１０）
制御部３１は、Ｔｂ０とＴｂとの温度を比較する。このとき、制御部３１は、Ｔｂ０とＴｂとの差分が５（℃）以上であるか否かを判定する。制御部３１は、５（℃）以上と判定した場合、ステップＳ１１２へ進む。一方、制御部３１は、５（℃）以上ではないと判定した場合、ステップＳ１１１へ進む。
【００８０】
なお、ここでも上記と同様に、配管接続が正常であれば、冷房時には、運転中の室外ユニット１１側の配管温度が少しずつ下がっていくという前提に基づいて、制御部３１は比較処理を実行する。すなわち、配管接続が正常であれば、配管チェック開始から所定時間経過したときには、Ｔｂ０とＴｂとの差分は、例えば、５（℃）以上の差があるという前提である。
【００８１】
また、上記と同様に、５（℃）という温度差はこれに限定されるものではなく、例えば、５（℃）ほど差があれば、一般的には経験的に誤検知を防ぐことができるということである。そのため、周囲の環境によっては、５（℃）以上待つ必要はないことはいうまでもないことである。また、周囲の環境によっては、５（℃）以上待つ必要があるときもある。
【００８２】
（ステップＳ１１１）
制御部３１は、運転開始後、５分経過したか否かを判定する。制御部３１は、５分経過したと判定した場合、ステップＳ１１３へ進む。一方、制御部３１は、５分経過していないと判定した場合、ステップＳ１１０へ戻る。
【００８３】
また、上記と同様に、５分という時間はこれに限定されるものではなく、例えば、５分ほど経過していれば、一般的には経験的に誤検知を防ぐことができるということである。そのため、周囲の環境によっては、５分待つ必要はないことはいうまでもないことである。また、周囲の環境によっては、５分以上待つ必要があるときもある。
【００８４】
（ステップＳ１１２）
制御部３１は、２台目の室外ユニット１１である第２室外ユニット１１ｂの運転を停止する。
【００８５】
（ステップＳ１１３）
制御部３１は、冷媒配管誤接続異常と表示する指令を出す。すなわち、制御部３１は、５分経過しても５（℃）以上の配管温度の差が生じないのは異常であると判定する。このとき、制御部３１は、図示しない表示手段（以後、表示手段という）に対して、冷媒配管誤接続異常という表示指令を出す。例えば、表示手段は、リモートコントローラー１６の液晶表示画面であってもよい。その場合には、例えば、液晶表示画面は、文字により、「冷媒配管誤接続異常」と表示する。
【００８６】
（ステップＳ１１４）
制御部３１は、１台目の室外ユニット１１及び２台目の室外ユニット１１の両方の運転を停止する。すなわち、第１室外ユニット１１ａ及び第２室外ユニット１１ｂの運転を停止する。
【００８７】
（ステップＳ１１５）
制御部３１は、配管チェック完了と設定し、処理は終了する。
【００８８】
このように、従来の配管接続を確認する動作においては、空調システム１の管理者や施工業者等の操作者がマニュアルで設定しないと配管チェックモードへ移行しない。そのため、管理者等は配管接続の良否判定を忘れてしまうことがある。また、マニュアル操作での確認のため、初めて設置するときには、操作者は取扱説明書等を確認しながら設定することになる。そのため、通常、配管接続の良否判定の確認処理は時間がかかる。
【００８９】
また、配管チェックを忘れなかったとしても、第１室外ユニット１１ａ及び第２室外ユニット１１ｂをそれぞれ１台ずつ冷房運転させなければならない。そのとき、配管チェック開始直後の配管の温度と、室外ユニット１１の運転を開始してから所定時間経過後（例えば、５分後）の配管の温度とを室外ユニット１１ごとに比較しないと、正常に接続されているか否かの良否判定をすることができない。そのため、通常では、配管接続の良否判定の処理は時間がかかる。
【００９０】
次に、本実施の形態における電源投入時に自動的かつ短時間で実行する配管接続を確認し、室外ユニット１１の制御の切り替えを実行する動作について説明する。図５は、本発明の実施の形態１における空調システム１が冷媒配管１８の配管接続を確認する制御例を説明するフローチャートである。なお、Ｔａは、１台目の室外ユニット１１側の冷媒配管温度、例えば、第１室外ユニット１１ａの冷媒配管１８ａの温度を意味する。また、Ｔｂは、２台目の室外ユニット１１側の冷媒配管温度、例えば、第２室外ユニット１１ｂの冷媒配管１８ｂの温度を意味する。また、良否判定処理は、ステップＳ２０７の処理〜ステップＳ２１２の処理が対応する。また、誤接続制御切替処理は、ステップＳ２１４の処理〜ステップＳ２１７の処理が対応する。
【００９１】
（ステップＳ２０１）
制御部３１は、空調システム１の電源ＯＮを認識する。例えば、制御部３１は、室外ユニット１１、室内ユニット１２、全熱交換型換気ユニット１３、及びＶＡＶユニット１５等の電源が空調システム１の管理者により投入されたことを認識する。
【００９２】
（ステップＳ２０２）
制御部３１は、配管チェック実施回数を初期化する。例えば、制御部３１は、配管チェック実施回数に０を設定する。なお、配管チェック実施回数を０に初期化する一例を示したが、初期化の値は、特にこれに限定されない。
【００９３】
（ステップＳ２０３）
制御部３１は、配管チェック実施回数が配管チェック実施回数上限値を超えたか否かを判定する。制御部３１は、配管チェック実施回数が配管チェック実施回数上限値を超えた場合、ステップＳ２０８に進む。一方、制御部３１は、配管チェック実施回数が配管チェック実施回数上限値を超えない場合、ステップＳ２０４に進む。
【００９４】
（ステップＳ２０４）
制御部３１は、リモートコントローラー１６から運転開始指令を受信したか否かを判定する。制御部３１は、リモートコントローラー１６から運転開始指令を受信した場合、ステップＳ２０５へ進む。一方、制御部３１は、リモートコントローラー１６から運転開始指令を受信しない場合、ステップＳ２０４へ戻る。
【００９５】
具体的には、制御部３１の運転制御処理部４１は、リモートコントローラー１６から運転開始指令を受信した場合、外部から入力指令のコードを受信する。そして、運転制御処理部４１は、受信した入力指令のコードを運転モード切替処理部５１に供給する。運転モード切替処理部５１は供給された入力指令のコードを解析する。解析の結果、例えば、冷房運転である場合、運転モード切替処理部５１は、待機中の配管接続確認処理部５３を起動し、ステップＳ２０５へ進む。また、解析の結果、例えば、暖房運転である場合、運転モード切替処理部５１は、待機中の配管接続確認処理部５３を起動し、ステップＳ２０５へ進む。なお、解析の結果、冷房運転と暖房運転以外の運転の場合、ステップＳ２０４に戻る。制御部３１の運転制御処理部４１は、リモートコントローラー１６から運転開始指令を受信しない場合、リモートコントローラー１６から運転開始指令を受信するまで待機状態となる。
【００９６】
（ステップＳ２０５）
制御部３１は、１台目の室外ユニット１１の運転を開始する。例えば、制御部３１の配管接続確認処理部５３は、記憶部４３に格納されている冷房フラグを１に更新し、第１室外ユニット１１ａの運転を開始する出力指令を出す。第１室外ユニット１１ａは、出力指令に基づいて、第１室外ユニット１１ａ内の図示しないファン等を駆動する。
【００９７】
（ステップＳ２０６）
制御部３１は、１台目の室外ユニット１１の運転を開始してから５分経過したか否かを判定する。制御部３１は、１台目の室外ユニット１１の運転を開始してから５分経過したと判定した場合、ステップＳ２０７へ進む。制御部３１は、１台目の室外ユニット１１の運転を開始してから５分経過していないと判定した場合、ステップＳ２０６に戻る。
【００９８】
具体的には、制御部３１の配管接続確認処理部５３は、図示しないタイマーを管理する。このタイマーは、１台目の室外ユニット１１（例えば、第１室外ユニット１１ａ）が運転を開始してから５分になるまでカウントする。そして、タイマーが５分カウントしたときには、タイマーは５分経過したことを配管接続確認処理部５３に報知する。配管接続確認処理部５３は、この報知に基づいて、第１室外ユニット１１ａが運転を開始してから５分経過したか否かを判定する。
【００９９】
なお、ここでいうタイマーは物理的なものでも論理的なものでもよい。例えば、室内ユニット１２の図示しない箇所に設置された物理的なタイマーであってもよい。あるいは、例えば、５分カウントするプログラムで構成される論理的なタイマーであってもよい。要するに、配管接続確認処理部５３は図示しない計時部から所定時間経過したことの報知を受けるのである。
【０１００】
また、５分という時間はこれに限定されるものではなく、例えば、５分ほど経過していれば、一般的には経験的に誤検知を防ぐことができるということである。そのため、周囲の環境によっては、５分待つ必要はないことはいうまでもないことである。また、周囲の環境によっては、５分以上待つ必要があるときもある。要するに、配管接続確認処理部５３は、所定時間だけ待機したのちに次の動作に移行するのである。
【０１０１】
（ステップＳ２０７）
制御部３１は、配管チェック実施済であるか否かを判定する。制御部３１は、配管チェック実施済でないと判定した場合、ステップＳ２０８へ進む。一方、制御部３１は、配管チェック実施済であると判定した場合、ステップＳ２１２へ進む。
【０１０２】
具体的には、制御部３１の配管接続確認処理部５３は、記憶部４３に格納されている配管チェック実施済フラグを参照する。例えば、配管接続確認処理部５３は記憶部４３から配管チェック実施済フラグを取得し、その配管チェック実施済フラグが既に配管チェック実施を意味しているか否かを解析する。このとき、空調システム１に電源が投入された後の最初の運転開始指令（１回目）であれば、配管接続確認処理部５３は配管チェックを実施していない。その場合には、配管接続確認処理部５３は、配管チェック実施済フラグが存在しない状態であると判断し、配管接続確認処理部５３はステップＳ２０８以降の配管接続の確認処理を実行する。また、配管チェック実施済みであれば、２回目以降の運転開始時なので配管チェックの良否判定をする必要はない。そのため、ステップＳ２０８〜ステップＳ２１１の処理をスキップして、ステップＳ２１２へ進む。
【０１０３】
より具体的には、配管チェック実施済フラグが存在しない状態とは、上記で説明したように、ダミーデータが格納されていることを意味する。この場合、配管チェック実施済フラグが保有する値は、そもそも配管チェック実施済フラグとしての値ではない。そのため、配管接続確認処理部５３は、配管チェック実施済フラグが存在しない状態であると判断するのである。
【０１０４】
（ステップＳ２０８）
制御部３１は、冷房時では、Ｔｂ＞Ｔａが真であるか否かを判定し、暖房時では、Ｔａ＞Ｔｂが真であるか否かを判定する。
【０１０５】
具体的には、制御部３１は、１台目の室外ユニット１１側の冷媒配管温度を取得する。より具体的には、制御部３１の配管接続確認処理部５３は、温度センサ１７が検出した運転中の室外ユニット１１側の冷媒配管温度を取得する。例えば、配管接続確認処理部５３は、温度センサ１７ａが検出した第１室外ユニット１１ａ側の冷媒配管温度を取得する。
【０１０６】
次いで、制御部３１は、取得した冷媒配管温度をＴａに設定する。具体的には、制御部３１の配管接続確認処理部５３は、取得した第１室外ユニット１１ａ側の冷媒配管温度をＴａに設定し、Ｔａの値を記憶部４３に供給する。記憶部４３は供給されたＴａの値を格納する。
【０１０７】
次いで、制御部３１は、２台目の室外ユニット１１側の冷媒配管温度を取得する。具体的には、制御部３１の配管接続確認処理部５３は、温度センサ１７が検出した停止中の室外ユニット１１側の冷媒配管温度を取得する。例えば、配管接続確認処理部５３は、温度センサ１７ｂが検出した第２室外ユニット１１ｂ側の冷媒配管温度を取得する。
【０１０８】
次いで、制御部３１は、取得した冷媒配管温度をＴｂに設定する。具体的には、制御部３１の配管接続確認処理部５３は、取得した第２室外ユニット１１ｂ側の冷媒配管温度をＴｂに設定し、Ｔｂの値を記憶部４３に供給する。記憶部４３は供給されたＴｂの値を格納する。
【０１０９】
次に、制御部３１は、冷房運転の場合、Ｔｂの値がＴａの値より大きいか否かを判定する。制御部３１は、Ｔｂの値がＴａの値より大きい場合、冷媒配管１８の接続が正常（配管正常接続）と判定し、ステップＳ２０９へ進む。一方、制御部３１は、Ｔｂの値がＴａの値より大きくない場合、冷媒配管１８の接続が正常でない（誤配管接続）と判定し、ステップＳ２１４へ進む。具体的には、配管接続確認処理部５３は、記憶部４３が保持するＴａの値と記憶部４３が保持するＴｂの値とを取得し、取得したＴａの値と取得したＴｂの値との差分を演算することにより、Ｔａの値とＴｂの値のいずれが大きい値であるかを比較する。
【０１１０】
より具体的には、冷房時には、運転中の室外ユニット１１側の配管が冷やされていく。即ち、第１室外ユニット１１ａ側の冷媒配管温度が下降していく。そのため、配管接続が正常であると想定すると、冷房時には、第１室外ユニット１１ａ側の冷媒配管温度は、運転中ではない第２室外ユニット１１ｂ側の冷媒配管温度より低くなる。すなわち、配管接続確認処理部５３は、Ｔｂ＞Ｔａが真であれば、配管接続は正常であると判定できることになる。
【０１１１】
一方、制御部３１は、暖房運転の場合、Ｔａの値がＴｂの値より大きいか否かを判定する。制御部３１は、Ｔａの値がＴｂの値より大きい場合、配管正常と判定し、ステップＳ２０９へ進む。一方、制御部３１は、Ｔａの値がＴｂの値より大きくない場合、誤配管と判定し、ステップＳ２１４へ進む。具体的には、配管接続確認処理部５３は、記憶部４３が保持するＴａの値と記憶部４３が保持するＴｂの値を取得し、取得したＴａの値と取得したＴｂの値との差分を演算することにより、Ｔａの値とＴｂの値のいずれが大きい値であるかを比較する。
【０１１２】
より具体的には、暖房時には、運転中の室外ユニット１１側の配管が温められていく。すなわち、第１室外ユニット１１ａ側の冷媒配管温度が上昇していく。そのため、配管接続が正常であると想定すると、暖房時には、第１室外ユニット１１ａ側の冷媒配管温度は、運転中ではない第２室外ユニット１１ｂ側の冷媒配管温度より高くなる。すなわち、配管接続確認処理部５３は、Ｔａ＞Ｔｂが真であれば、配管接続は正常であると判定できることになる。
【０１１３】
すなわち、制御部３１の配管接続確認処理部５３は、運転モードが冷房及び暖房の場合、取得したＴａの値と取得したＴｂの値とに基づいた配管接続の良否判定処理へ進み、運転モードが冷房でもなく暖房でもない場合、配管接続の良否判定処理は行わない。
【０１１４】
それに対して、例えば、暖房時かつ誤配管のとき、配管温度が上限の保護温度を超えたと想定する。そのときには、制御部３１は、保護をかけようとしても、保護温度を超えてしまった配管と接続されている室外ユニット１１ではなく、もう一方の室外ユニット１１に制御をかけることになる。そのため、保護温度を超えてしまった配管に接続されている室外ユニット１１の方には保護がかからない。つまり、制御部３１は冷媒配管温度を上限の保護温度以下にすることができない。それにより、さらに冷媒配管温度は上昇する。その結果、配管圧力が上昇し、室外ユニット１１が損傷することがある。
【０１１５】
また、例えば、冷房時かつ誤配管のとき、冷媒配管温度が下限の保護温度を下回ったと想定する。そのときには、制御部３１は、保護をかけようとしても、保護温度以下となった配管に接続されている室外ユニット１１ではなく、もう一方の室外ユニット１１に制御をかけることになる。そのため、保護温度を下回った配管に接続されている室外ユニット１１の方には保護がかからない。つまり、制御部３１は冷媒配管温度を下限の保護温度以上にすることができない。それにより、さらに冷媒配管温度は下降する。その結果、室内ユニット１２にある熱交換器（図示せず）が凍ってしまい、制御部３１は、室外ユニット１１と室内ユニット１２を制御できなくなることがある。
【０１１６】
暖房時と冷房時では、誤配管であれば、上記のような事態が想定される。そのため、運転モードが暖房か冷房のときには、ステップＳ２０７〜ステップＳ２１２に示す配管接続の良否判定処理と、ステップＳ２１４〜ステップＳ２１７に示す誤接続制御切替処理と、を自動的に行う。
【０１１７】
（ステップＳ２０９）
制御部３１は、配管チェック実施済と設定する。具体的には、制御部３１の配管接続確認処理部５３は、記憶部４３に格納されている配管チェック実施済フラグの値を更新する。
【０１１８】
（ステップＳ２１０）
制御部３１は、配管チェック実施回数をインクリメントする。制御部３１は、例えば、配管チェック実施回数を＋１歩進する。なお、インクリメントの動作は、＋１ずつに限定されない。
【０１１９】
（ステップＳ２１１）
制御部３１は、設定結果をＲＡＭへ格納する。具体的には、制御部３１の配管接続確認処理部５３は、更新した配管チェック実施済フラグの値を記憶部４３へ格納する。より具体的には、記憶部４３は、処理が確定していないデータについては、例えば、キャッシュメモリへ一次的に格納し、処理が確定したデータについては、例えば、主記憶装置（いわゆる、メモリ）へ格納する。すなわち、記憶部４３は、上記で説明したように、記憶階層の構造を有する。より具体的には、キャッシュメモリは、例えば、小容量で高速なスタティックＲＡＭで形成される。主記憶装置は、例えば、ダイナミックＲＡＭで形成される。このように、記憶階層を設けることにより、より高速に処理を実行することができる。なお、記憶部４３の記憶階層やその実装方法についてはこれに限定されない。
【０１２０】
（ステップＳ２１２）
制御部３１は、配管チェック完了と設定する。具体的には、制御部３１の配管接続確認処理部５３は、記憶部４３に格納されている配管チェック完了フラグの値を更新する。具体的には、配管接続確認処理部５３は、キャッシュメモリが保持する配管チェック完了フラグの値を更新後、キャッシュメモリが保持する配管チェック完了フラグの値を、主記憶装置へ移動する。主記憶装置は移動された配管チェック完了フラグの値を格納する。このように、記憶階層を設けることにより、より高速に処理を実行することができる。なお、配管チェック完了フラグの値は、通常動作処理部５５が通常動作を実行するか否かを判定するときに利用される。
【０１２１】
（ステップＳ２１３）
制御部３１は、２台目の室外ユニット１１の運転を開始する。具体的には、制御部３１の配管接続確認処理部５３は、記憶部４３に格納されている配管チェック完了フラグの値を取得して、通常動作処理部５５へ供給する。通常動作処理部５５は、供給された配管チェック完了フラグの値が配管チェック完了を意味していれば、現在稼働していない２台目の室外ユニット１１の運転を開始する。すなわち、通常動作処理部５５は、第２室外ユニット１１ｂの運転を開始し、処理は終了する。このように各種フラグを介して処理を起動することで、制御部３１は、良否判定処理及び誤接続制御切替処理と、通常動作処理と、の処理を切り分けて実行することができる。つまり、良否判定処理及び誤接続制御切替処理と、通常動作処理とは、それぞれが独立した制御処理であり、並列して実行することができる。
【０１２２】
（ステップＳ２１４）
制御部３１は、誤配管接続と設定する。具体的には、制御部３１の配管接続確認処理部５３は、記憶部４３に格納されている誤配管接続フラグの値を更新する。より具体的には、配管接続確認処理部５３は、キャッシュメモリが保持する誤配管接続フラグの値を更新後、キャッシュメモリが保持する誤配管接続フラグの値を、主記憶装置へ移動する。主記憶装置は移動された誤配管接続フラグの値を格納する。このように、記憶階層を設けることにより、より高速に処理を実行することができる。なお、誤配管接続フラグの値は、表示手段が誤配管接続異常と表示するか否かを判定するときに利用される。
【０１２３】
（ステップＳ２１５）
制御部３１は、配管チェック実施回数をインクリメントする。制御部３１は、例えば、配管チェック実施回数を＋１歩進する。なお、インクリメントの動作は、＋１ずつに限定されない。
【０１２４】
（ステップＳ２１６）
制御部３１は、１台目の室外ユニット１１の運転を停止する。具体的には、制御部３１の配管接続確認処理部５３は、記憶部４３に格納されている誤配管接続フラグの値を参照する。誤配管接続フラグの値が誤配管接続異常であるときには、配管接続確認処理部５３は、運転中の１台目の第１室外ユニット１１ａを停止する。より具体的には、配管接続確認処理部５３は、第１室外ユニット１１ａの運転を停止する。
【０１２５】
（ステップＳ２１７）
制御部３１は、室外ユニット１１の制御を切り替え、ステップＳ２０３に戻る。具体的には、制御部３１は、１台目の室外ユニット１１の制御を、２台目の室外ユニット１１の制御に切り替えつつ、２台目の室外ユニット１１の制御を、１台目の室外ユニット１１の制御に切り替え、ステップＳ２０３に戻る。より具体的には、制御部３１は、第１室外ユニット１１ａの制御を、第２室外ユニット１１ｂの制御に切り替え、第２室外ユニット１１ｂの制御を、第１室外ユニット１１ａの制御に切り替え、ステップＳ２０３に戻る。
【０１２６】
このように、図２に構成を示す制御部３１は、冷房運転又は暖房運転を最初に開始するときに、第１室外ユニット１１ａ又は第２室外ユニット１１ｂのいずれか１台を運転させ、そのときの冷媒配管１８ａと冷媒配管１８ｂとの温度差を比較することにより、忘れることなく確実に短時間で冷媒配管１８の配管接続の良否判定と、誤接続時の室外ユニット１１の制御の切り替えとをすることができる。そのため、制御部３１は、冷媒配管１８の配管接続が誤っていたときに生じることがある室外ユニット１１の故障や制御不能を防ぐことができる。
【０１２７】
また、図２に構成を示す運転制御処理部４１は、自動的に冷媒配管１８の配管接続の良否判定を実行し、誤接続時の室外ユニット１１の制御の切替を実行することができる。そのため、運転制御処理部４１は、忘れることなく確実に冷媒配管１８の配管接続の良否判定をすることができる。
【０１２８】
また、図２に構成を示す配管接続確認処理部５３は、複数の冷媒配管１８の配管接続の良否判定を同時にできる。そのため、配管接続確認処理部５３は、短時間で冷媒配管１８の配管接続の良否判定をすることができる。
【０１２９】
図６は、本発明の実施の形態１における配管チェック実施回数がインクリメントされた後に第１室外ユニット１１ａと第２室外ユニット１１ｂとの制御を切り替えた場合の各種フラグ及びカウンタの一例を示す図である。図６に示すように、第１室外ユニット１１ａの動作テーブルとして、動作テーブル＃１と、動作テーブル＃４とが設定されている。また、第２室外ユニット１１ｂの動作テーブルとして、動作テーブル＃２と、動作テーブル＃３とが設定されている。
【０１３０】
図３で示した場合と比べ、第１室外ユニット１１ａでは、動作テーブル＃２から動作テーブル＃４に設定変更され、第２室外ユニット１１ｂでは、動作テーブル＃４から動作テーブル＃２に設定変更されている。つまり、第１室外ユニット１１ａでは、通常モードの制御が、第１室外ユニット１１ａ用から第２室外ユニット１１ｂに設定変更され、第２室外ユニット１１ｂでは、通常モードの制御が、第２室外ユニット１１ｂから第１室外ユニット１１ａに設定変更されている。換言すれば、図６においては、制御部３１が誤配管と判定した後に室外ユニット１１の制御を切り替えたときのフラグの一覧が示されている。
【０１３１】
このように、図６に示すように、記憶部４３は、配管接続の良否判定の結果を保持することができる。そのため、空調システム１に一旦電源が投入されれば、２回目以降の運転開始時には、制御部３１は配管チェックを再度実施しないようにすることができる。
【０１３２】
なお、空調システム１の電源が遮断されたときには、制御部３１は再度配管接続の良否判定を行う。このときの状態としては、空調システム１全体を入れ替える場合であるか、又は、室外ユニット１１や室内ユニット等が交換された場合であるかを想定している。
【０１３３】
また、図１に構成を示す空調システム１は、２台の室外ユニット１１の一方のみを動作させるだけで冷媒配管１８の配管接続の良否判定をすることができる。そのため、空調システム１は、短時間で冷媒配管１８の配管接続の良否判定をすることができ、誤接続時には室外ユニット１１の制御を切り替えることができる。
【０１３４】
また、図１に構成を示す空調システム１は、冷媒配管１８の温度に基づいて、初回の運転開始後に自動的に冷媒配管１８の配管接続の良否判定をすることができる。そのため、空調システム１は、忘れることなく確実に冷媒配管１８の配管接続の良否判定をすることができる。さらに、空調システム１は、自動で誤接続時には、室外ユニット１１の制御の切り替えを行うことで、繋ぎ替えを不要とすることができる。
【０１３５】
また、図１に構成を示す空調システム１は、忘れることなく確実に短時間で冷媒配管１８の配管接続の良否判定をすることができる。
【０１３６】
なお、本実施の形態において、各処理の詳細を記述するステップは、記載された順序に沿って時系列的に行われる処理はもちろん、必ずしも時系列的に処理されなくとも、並列的あるいは個別に実行される処理をも含むものである。
【０１３７】
なお、本実施の形態では、制御部３１は、ステップＳ２０７で配管チェック実施済みであるか否かの判定をしたが、これに限るものではない。例えば、制御部３１は、ステップＳ２０２の後に配管チェック実施済みであるか否かの判定をしてもよい。すなわち、制御部３１は、良否判定処理（ステップＳ２０７〜ステップＳ２１２）と、誤接続制御切替処理（ステップＳ２１４〜ステップＳ２１７）を任意のタイミングで開始してよいものである。
【０１３８】
なお、本実施の形態では、電源ＯＮ後の初回運転時に予め設定された条件を満たすとして、良否判定処理（ステップＳ２０７〜ステップＳ２１２）を実行する場合を説明したが、予め設定された条件はこれに限るものではない。例えば、リモートコントローラー１６からの運転ＯＮの指令が１０００回等の所定の回数を超えたときに、制御部３１は、自動的に良否判定処理と、誤接続制御切替処理と、を実行してもよい。このようにすることで、例えば、空調システム１の長期間の使用が原因で、冷媒配管１８から冷媒が漏れたことにより、冷媒配管１８内を流れる冷媒量が減り、冷媒配管１８ａと冷媒配管１８ｂとでの温度差が得られなくなったことが生じた場合であっても、即座に判定することできる。それにより、使用者がメンテナンスのタイミングを意識しなくても自動的に定期的な空調システム１のメンテナンスをすることができる。
【０１３９】
また、例えば、電源ＯＮ後に即座に良否判定処理を実行するようにしてもよい。その場合、予め設定された条件は、空調システム１全体の電源ＯＮとなる。
【０１４０】
また、例えば、記憶部４３のデータが壊れたとき、良否判定処理と、誤接続制御切替処理とを実行するようにしてもよい。その場合、予め設定された条件は、記憶部４３のデータが壊れたときや、読み取り不能となったときである。この場合、良否判定処理中のフラグの更新等の処理は省略するようにすればよい。
【０１４１】
また、例えば、記憶部４３が着脱可能なハードウェアで構成されている場合、記憶部４３のハードウェアを交換したとき、良否判定処理と誤接続制御切替処理とを実行するようにしてもよい。その場合、予め設定された条件は、空調システム１が、記憶部４３を新しいハードウェアとして認識したタイミングである。
【０１４２】
また、例えば、空調システム１を強制終了させて再起動した後、良否判定処理と誤接続制御切替処理とを実行するようにしてもよい。その場合、予め設定された条件は、空調システム１の緊急遮断釦が押されたときである。
【０１４３】
また、例えば、空調システム１の電源が外部要因（例えば、停電）により遮断された後、良否判定処理と誤接続制御切替処理とを実行するようにしてもよい。その場合、予め設定された条件は、電源遮断である。
【０１４４】
このように、上記で説明した予め設定された条件は一例を示し、これらに限定されない。
【０１４５】
以上、本実施の形態においては、２台の室外ユニット１１と、２台の室外ユニット１１のそれぞれと冷媒配管１８で接続され、冷媒配管１８を流れる冷媒と、室内空気と、を熱交換する室内ユニット１２と、２台の室外ユニット１１の運転及び室内ユニット１２の運転のそれぞれを含む空調運転を制御する制御部３１と、冷媒配管１８の温度をそれぞれ検出する温度センサ１７と、を備え、制御部３１は、空調運転を開始する場合、２台の室外ユニット１１のうち、何れか１台の室外ユニット１１の運転を開始させ、２台の室外ユニット１１のうち、運転中の室外ユニット１１の冷媒配管１８の温度を第１冷媒配管温度に設定し、２台の室外ユニット１１のうち、停止中の室外ユニット１１の冷媒配管１８の温度を第２冷媒配管温度に設定し、第１冷媒配管温度と、第２冷媒配管温度と、を比較することで、冷媒配管１８の接続が正常であるか否かを判定する良否判定処理を実行し、良否判定処理の結果、冷媒配管１８の接続が正常ではないと判定した場合、２台の室外ユニット１１の制御をそれぞれ切り替える空調システム１が構成される。
【０１４６】
上記構成のため、空調システム１は、忘れることなく確実に短時間で冷媒配管１８の配管接続の良否判定を行うと共に、冷媒配管１８の接続が正常ではないと判定した場合であっても、現地での冷媒配管１８の配管接続の入れ替え作業を不要とすることができる。したがって、空調システム１は、冷媒配管１８の配管接続が誤っていたときに生じることがある室外ユニット１１の故障や制御不能を防ぐことができつつ、現地で作業しなくても、誤配管接続状態に対応した制御に切り替えることができるという効果を有する。
【０１４７】
また、本実施の形態１においては、制御部３１は、空調運転を初回の運転で開始する場合、良否判定処理を実行する。
【０１４８】
また、本実施の形態１においては、制御部３１は、良否判定処理の良否判定結果である良否判定情報を保持する記憶部４３を備え、良否判定情報が存在しない状態で空調運転を開始させた場合、空調運転を初回の運転であると判断する。
【０１４９】
また、本実施の形態１においては、制御部３１は、記憶部４３に記憶されている良否判定情報が良である場合、良否判定を実行しない。
【０１５０】
また、本実施の形態１においては、制御部３１は、２台の室外ユニット１１のうち、運転中の室外ユニット１１が冷房運転であって、第２冷媒配管温度が第１冷媒配管温度と比べて大きい場合、冷媒配管１８の接続が正常であると判定し、第２冷媒配管温度が第１冷媒配管温度と比べて大きくない場合、冷媒配管１８の接続が正常でないと判定し、２台の室外ユニット１１のうち、運転中の室外ユニット１１が暖房運転であって、第１冷媒配管温度が第２冷媒配管温度と比べて大きい場合、冷媒配管１８の接続が正常であると判定し、第１冷媒配管温度が第２冷媒配管温度と比べて大きくない場合、冷媒配管１８の接続が正常でないと判定する。
【０１５１】
したがって、空調システム１は、冷媒配管１８の配管接続が誤っていたときに生じることがある室外ユニット１１の故障や制御不能を防ぐことができつつ、現地で作業しなくても、誤配管接続状態に対応した制御に切り替えることができるという効果を特に顕著に有する。
【符号の説明】
【０１５２】
１  空調システム、１１  室外ユニット、１１ａ  第１室外ユニット、１１ｂ  第２室外ユニット、１２  室内ユニット、１３  全熱交換型換気ユニット、１４  ダクト、１４ａ  立上ダクト、１４ｂ  主ダクト、１４ｃ  副主ダクト、１４ｄ  分岐ダクト、１４ｅ  換気用ダクト、１５  ＶＡＶユニット、１６  リモートコントローラー、１７、１７ａ、１７ｂ  温度センサ、１８、１８ａ、１８ｂ  冷媒配管、３１  制御部、４１  運転制御処理部、４３  記憶部、５１  運転モード切替処理部、５３  配管接続確認処理部、５５  通常動作処理部、５７  誤接続制御切替処理部。
【図１】
2014231945.tif 000003
【図２】
2014231945.tif 000004
【図３】
2014231945.tif 000005
【図４】
2014231945.tif 000006
【図５】
2014231945.tif 000007
【図６】
2014231945.tif 000008